(57)【要約】      （修正有）【課題】柄が破損してもハンマーヘッドの脱落が防止される簡易構造のハンマーを提案する。【解決手段】ハンマーヘッド１に設けられている差込み穴２に柄３の一端部が差込まれて結合され、柄３は筒状に形成され、この柄３とハンマーヘッド１とを連結するための長尺環状の連結索４が柄３内に収納配設され、この連結索４は、差込み穴２に差込まれている柄３の一端部に配されている部分がこの柄３の一端部に固定されている一端側索掛回し体５に掛回されていると共に、柄３の他端部に配されている部分がこの柄３の他端部に固定されている他端側索掛回し体６に掛回されていて、この柄３の一端部が結合されているハンマーヘッド１と、柄３の他端部とが連結索４を介して連結されているハンマーＡ。【選択図】図５
0003223449.tif 000002
【実用新案登録請求の範囲】
【請求項１】
ハンマーヘッドに設けられている差込み穴に柄の一端部が差込まれてハンマーヘッドに柄が結合されているハンマーにおいて、前記柄は筒状に形成されており、この柄と前記ハンマーヘッドとを連結するための長尺環状の連結索が柄内に収納配設され、この連結索は、前記差込み穴に差込まれている柄の一端部に配されている部分が、この柄の一端部に固定されている一端側索掛回し体に掛回されていると共に、柄の他端部に配されている部分が、この柄の他端部に固定されている他端側索掛回し体に掛回されていて、この柄の一端部が結合されている前記ハンマーヘッドと、柄の他端部とが前記連結索を介して連結されていることを特徴とするハンマー。
【請求項２】
前記差込み穴に差込まれている前記柄の一端部に、前記連結索を掛回し可能なピンが固定されているか若しくは連結索を掛回し可能な索通し孔を有する栓体が固定されていて、このピン若しくは栓体が前記一端側索掛回し体として構成され、前記柄の他端部に、前記連結索を掛回し可能な索通し孔を有する栓体が固定されているか若しくは連結索を掛回し可能なピンが固定されていて、この栓体若しくはピンが前記他端側索掛回し体として構成されていることを特徴とする請求項１記載のハンマー。
【請求項３】
ハンマーヘッドに設けられている差込み穴に柄の一端部が差込まれ、この差込み穴に差し込まれている柄の一端部と前記ハンマーヘッドとに結合ピンが貫通されてハンマーヘッドに柄が結合されているハンマーにおいて、前記連結索は、前記差込み穴に差込まれている前記柄の一端部に配されている部分が、柄の一端部と前記ハンマーヘッドとを貫通する前記結合ピンに掛回されていて、この結合ピンが前記一端側索掛回し体として構成されていることを特徴とする請求項１，２のいずれか１項に記載のハンマー。
【請求項４】
前記柄の他端部に、前記連結索を掛回し可能な索通し孔を有する栓体が固定されていて、この栓体が前記他端側索掛回し体として構成されていることを特徴とする請求項１〜３のいずれか１項に記載のハンマー。
【請求項５】
前記連結索は、金属製ワイヤーが採用されていることを特徴とする請求項１〜４のいずれか１項に記載のハンマー。
【考案の詳細な説明】
【技術分野】
【０００１】
本考案は、ハンマーに関するものである。
【背景技術】
【０００２】
一般的なハンマーは、ハンマーヘッドに柄が結合されたものとなっている。
【０００３】
また、片手で操作するこの種ハンマーは、軽量化目的で柄に金属製の筒状体が採用されているものもある（例えば、下記特許文献１参照）。
【先行技術文献】
【特許文献】
【０００４】
【特許文献１】特開２００２−８６３６９号公報
【考案の概要】
【考案が解決しようとする課題】
【０００５】
ハンマーは、打撃時に大きな衝撃を受ける。
【０００６】
上記特許文献１のような筒状の柄を備えているハンマーは、柄が強靭な金属製ではあるが、長期的な繰り返し使用により柄のハンマーヘッドとの結合部付近に金属疲労による破損を生じることがあり、これが進行すると不意に柄が破断してハンマーヘッドが脱落し、危険を招くおそれがあった。
【０００７】
本考案は、このような問題に着目し、これを解決しようとするもので、仮に柄が破断してもハンマーヘッドの脱落を防止できる安全性に優れた簡易構造のハンマーを提案するものである。
【課題を解決するための手段】
【０００８】
添付図面を参照して本考案の要旨を説明する。
【０００９】
ハンマーヘッド１に設けられている差込み穴２に柄３の一端部が差込まれてハンマーヘッド１に柄３が結合されているハンマーＡにおいて、前記柄３は筒状に形成されており、この柄３と前記ハンマーヘッド１とを連結するための長尺環状の連結索４が柄３内に収納配設され、この連結索４は、前記差込み穴２に差込まれている柄３の一端部に配されている部分が、この柄３の一端部に固定されている一端側索掛回し体５に掛回されていると共に、柄３の他端部に配されている部分が、この柄３の他端部に固定されている他端側索掛回し体６に掛回されていて、この柄３の一端部が結合されている前記ハンマーヘッド１と、柄３の他端部とが前記連結索４を介して連結されていることを特徴とするハンマーに係るものである。
【００１０】
また、前記差込み穴２に差込まれている前記柄３の一端部に、前記連結索４を掛回し可能なピン５が固定されているか若しくは連結索４を掛回し可能な索通し孔を有する栓体が固定されていて、このピン５若しくは栓体が前記一端側索掛回し体５として構成され、前記柄３の他端部に、前記連結索４を掛回し可能な索通し孔７を有する栓体６が固定されているか若しくは連結索４を掛回し可能なピンが固定されていて、この栓体６若しくはピンが前記他端側索掛回し体６として構成されていることを特徴とする請求項１記載のハンマーに係るものである。
【００１１】
また、ハンマーヘッド１に設けられている差込み穴２に柄３の一端部が差込まれ、この差込み穴２に差し込まれている柄３の一端部と前記ハンマーヘッド１とに結合ピン５が貫通されてハンマーヘッド１に柄３が結合されているハンマーＡにおいて、前記連結索４は、前記差込み穴２に差込まれている前記柄３の一端部に配されている部分が、柄３の一端部と前記ハンマーヘッド１とを貫通する前記結合ピン５に掛回されていて、この結合ピン５が前記一端側索掛回し体５として構成されていることを特徴とする請求項１，２のいずれか１項に記載のハンマーに係るものである。
【００１２】
また、前記柄３の他端部に、前記連結索４を掛回し可能な索通し孔７を有する栓体６が固定されていて、この栓体６が前記他端側索掛回し体６として構成されていることを特徴とする請求項１〜３のいずれか１項に記載のハンマーに係るものである。
【００１３】
また、前記連結索４は、金属製ワイヤーが採用されていることを特徴とする請求項１〜４のいずれか１項に記載のハンマーに係るものである。
【考案の効果】
【００１４】
本考案は上述のように構成したから、柄の一端部のハンマーヘッドとの結合部付近に破損を生じても、この柄の一端部（が結合されているハンマーヘッド）は、柄内に収納配設されている連結索を介して柄の他端部（に固定されている他端側索掛回し体）と連結されているために脱落することがなく、優れた安全性を発揮でき、しかも、ハンマーヘッドと柄とを連結する連結索に長尺環状のものが採用されていて、この連結索が柄の一端部に固定されている一端側索掛回し体と柄の他端部に固定されている他端側索掛回し体とに掛回されているので、この連結索を、ハンマーヘッド（一端側索掛回し体）と柄の他端部（他端側索掛回し体）とに連結することが容易に行われて量産性に富むなど、極めて実用性に優れたハンマーとなる。
【００１５】
また、請求項２記載の考案においては、柄の一端部に固定されて長尺環状の連結索を掛回し可能な一端側索掛回し体と、柄の他端部に固定されて長尺環状の連結索を掛回し可能な他端側索掛回し体とを簡易構成により容易に設計実現可能となる一層実用性に優れた構成のハンマーとなる。
【００１６】
また、請求項３記載の考案においては、従来製品のハンマーヘッドと柄の一端部との結合に用いられる結合ピンを利用して、柄の一端部に固定されて長尺環状の連結索を掛回し可能な一端側索掛回し体の構成を簡易に設計実現可能となる一層実用性に優れた構成のハンマーとなる。
【００１７】
また、請求項４記載の考案においては、柄の他端部に固定されて長尺環状の連結索を掛回し可能な他端側索掛回し体（栓体）の構成を、簡易構成により容易に設計実現可能となると共に、栓体により筒状の柄の他端部が塞がれて体裁良好となるなど、一層実用性に優れた構成のハンマーとなる。
【００１８】
また、請求項５記載の考案においては、高強度を発揮する金属製ワイヤー（連結索）で、柄破損時のハンマーヘッドの脱落を確固に防止できる一層実用性に優れた構成のハンマーとなる。
【図面の簡単な説明】
【００１９】
【図１】本実施例を示す斜視図である。
【図２】本実施例の分解斜視図である。
【図３】本実施例の、連結索を環状に束ねて栓体に掛回し装着した後、この長尺環状連結索を柄内に収納配設して栓体を柄の他端部に固定し、続けて、ハンマーヘッドの差込み穴に柄の一端部を差込んで結合ピンで結合しようとする状態を示す説明斜視図である。
【図４】図３に続いて、ハンマーヘッドに柄の一端部を結合した状態を示す説明斜視図である。
【図５】本実施例の使用状態における、柄の一端側のハンマーヘッドとの結合部付近が破損した状態を示す説明側断面図である。
【考案を実施するための形態】
【００２０】
好適と考える本考案の実施形態を、図面に基づいて本考案の作用を示して簡単に説明する。
【００２１】
本考案のハンマーＡは、ハンマーヘッド１に設けられている差込み穴２に柄３の一端部が差込まれてハンマーヘッド１に柄３が結合されているが、前記柄３が筒状に形成されており、この柄３と前記ハンマーヘッド１とを連結するための長尺環状の連結索４が柄３内に収納配設され、この連結索４は、前記差込み穴２に差込まれている柄３の一端部に配されている部分が、この柄３の一端部に固定されている一端側索掛回し体５に掛回されていると共に、柄３の他端部に配されている部分が、この柄３の他端部に固定されている他端側索掛回し体６に掛回されていて、この柄３の一端部が結合されているハンマーヘッド１と柄３の他端部とが前記連結索４を介して連結されている。
【００２２】
この本考案のハンマーＡを使用中、例えば図５に示すように柄３の一端部のハンマーヘッド１との結合部付近に破損が生じると、この柄３の一端部（に結合されているハンマーヘッド１）は、一端側索掛回し体５に掛回されている連結索４によって柄３の他端部（に固定されている他端側索掛回し体６）と連結されているために脱落しない。
【００２３】
従って、不意にハンマーヘッド１が脱落することによる危険がなく、安全性が高い。
【００２４】
また、長尺環状の連結索４が採用されている本考案は、この連結索４を柄３の一端部に固定されている一端側索掛回し体５に掛回すことも、柄３の他端部に固定されている他端側索掛回し体６に掛回すことも容易に行われるので、製作容易で量産性に優れる。
【実施例】
【００２５】
本考案の具体的な実施例について図面に基づいて説明する。
【００２６】
本実施例のハンマーＡは、ハンマーヘッド１と柄３とから成り、ハンマーヘッド１に設けられている差込み穴２に柄３の一端部が差込まれ、この差込み穴２に差し込まれている柄３の一端部と前記ハンマーヘッド１とに結合ピン５が貫通されてハンマーヘッド１に柄３が結合されている（図１，図３，図４参照）。図中符号12はハンマーヘッド１に設けられている結合ピン５貫通用のヘッド側ピン通し孔、13は柄３の一端部に設けられている結合ピン５貫通用の柄側ピン通し孔である。
【００２７】
本実施例のハンマーヘッド１は、図２に示すような金属製の略円柱状体に形成されており、その長さ方向の中間位置の外周面に、このハンマーヘッド１の長さ方向と直交する方向に穴長を有する前記差込み穴２が設けられている。
【００２８】
本実施例の柄３は、図２に示すような長さのある金属製の筒状体に形成されており、その途中から他端部に至る位置に天然ゴム若しくは合成ゴム製のグリップ８が被覆されている。
【００２９】
また、この柄３内には、この柄３と前記ハンマーヘッド１とを連結するための長尺環状の連結索４が収納配設され、この連結索４は、柄３内で一端部から他端部に至る全範囲に配設する長さを有しており、この連結索４の、前記差込み穴２に差込まれている柄３の一端部に配されている部分が、この柄３の一端部に固定されている一端側索掛回し体５に掛回されていると共に、柄３の他端部に配されている部分が、この柄３の他端部に固定されている他端側索掛回し体６に掛回されている。
【００３０】
具体的には、柄３の他端部（図面の左側端部）には、この柄３内に挿入可能な径寸法を有する金属製の円柱状栓体６（図２参照）が、その長さ方向の半分程度が柄３の他端部内に挿入された状態で溶接固定されている（図３，図４参照）。
【００３１】
また、この栓体６には、その長さ方向の両端寄り位置の二箇所に、この栓体６の長さ方向と直交する方向に孔長を有する貫通孔が形成されている。そして、この栓体６の一端側（柄３の他端部に挿入される端側）に形成されている前記貫通孔が、前記連結索４を掛回し可能な索通し孔７として構成され、栓体６の他端側（柄３の他端部から突出配設される端側）に形成されている前記貫通孔が、落下防止用ストラップや安全コードなどに備わるフックなどを連結するための連結環９を装着可能な取付孔10として構成されている（図２参照）。
【００３２】
また、ここで連結索４について詳細を説明すると、一本の細長い金属製ワイヤーロープ４が採用されており、前記栓体６の索通し孔７に挿通した後、金属製ワイヤーロープ４の両端部が結束具11で束ねられることにより長尺環状の連結索４に構成されて、この長尺環状の連結索４が栓体６に掛回されている（図３参照）。尚、連結索４は、一本の長尺な金属製ワイヤーが採用されて環状に束ねられていても良いし、本実施例で示した金属製以外の綱や縄や紐が採用されて環状に束ねられていても良い。
【００３３】
そして、この長尺環状の連結索４が、柄３に他端側から挿入されて一端側へと通された後、栓体６が柄３の他端部に溶接固定されることにより、柄３内に連結索４が抜け止め状態に配設されている。
【００３４】
即ち、本実施例では、この栓体６が前記他端側索掛回し体６として構成されている。
【００３５】
尚、連結索４を掛回し可能なピンを柄３の他端部に固定してこのピンを他端側索掛回し体６とする構成が採用されていても良い。
【００３６】
また、前記ヘッド側ピン通し孔12と、このヘッド側ピン通し孔12に連通させた柄側ピン通し孔13とには、前記結合ピン５が貫通されてハンマーヘッド１に柄３（の一端部）が結合されるが、本実施例は、この結合ピン５に、前記差込み穴２に差込まれている柄３の一端部内に配されている連結索４部分が掛回されている。
【００３７】
即ち、本実施例では、この結合ピン５が前記一端側索掛回し体５としても機能するように構成されている。
【００３８】
具体的には、長尺環状の連結索４が柄３の他端側から一端側へと通されて前記栓体６（他端側索掛回し体６）が柄３の他端部に固定された後、柄３の一端部をハンマーヘッド１の前記差込み穴２に差込み、このハンマーヘッド１と柄３の一端部とに貫通させる前記結合ピン５を柄３の一端側に配されている連結索４部分にも通すことで、この連結索４の柄３の一端部に配されている部分が、柄３の一端部に固定された結合ピン５（一端側索掛回し体５）に掛回されるように構成されている（図４，図５参照）。
【００３９】
また、本実施例では、図５に示すように連結索４が結合ピン５に対し緩みを生じた状態で掛け回されており、柄３の一端部が破損してハンマーヘッド１が脱落しようとした時にはじめて連結索４が張架状態となって前記差込み穴２に差込まれている柄３の一端部（ハンマーヘッド１）と柄３の他端部（に固定されている栓体６）とが連結されて、ハンマーヘッド１の脱落が防止されるように構成されている（図５参照）。
【００４０】
尚、連結索４が、結合ピン５と栓体６（の索通し孔７）とに常時張架状態となるようにして掛回されていても良いが、本実施例のように連結索４が緩んだ状態で掛回される構造の方が連結索４に結合ピン５を通し易く、製作容易となるので好ましい。また、本実施例では、ハンマーヘッド１と柄３とを結合する結合ピン５が一端側索掛回し体５を兼用するように構成した場合を示しているが、結合ピン５とは別に連結索４を掛回し可能なピンを柄３の一端部に固定してこのピンを一端側索掛回し体５とする構成が採用されていても良いし、前記他端側索掛回し体６を構成する栓体６と同構造の索通し孔を具備する栓体が柄３の一端部に固定されて、この栓体を一端側索掛回し体５とする構成が採用されていても良い。
【００４１】
尚、本考案は、本実施例に限られるものではなく、各構成要件の具体的構成は適宜設計し得るものである。
【符号の説明】
【００４２】
１  ハンマーヘッド
２  差込み穴
３  柄
４  連結索
５  一端側掛回し体・ピン・結合ピン
６  他端側掛回し体・栓体
７  索通し孔
Ａ  ハンマー
【図１】
0003223449.tif 000003
【図２】
0003223449.tif 000004
【図３】
0003223449.tif 000005
【図４】
0003223449.tif 000006
【図５】
0003223449.tif 000007